(57)【特許請求の範囲】
【請求項１】
操作側本体(１)の上端部に設けたヒンジ部(12)と表示側本体(２)の下端部に設けたヒンジ部(22)とが同一のヒンジ軸上に配備され、操作側本体(１)の表面と表示側本体(２)の表面とを互いに対向させて折り畳むことが可能な折り畳み式携帯電話機において、
操作側本体(１)のヒンジ部(12)は、操作側本体(１)の表面を延長する向きに突設される一方、表示側本体(２)のヒンジ部(22)は、表示側本体(２)の表面から隆起する向きに突設されており、表示側本体(２)にはカメラユニット(３)が内蔵され、表示側本体(２)のヒンジ部(22)には、操作側本体(１)と表示側本体(２)とを開いた状態で操作側本体(１)の表面側に露出し、且つ操作側本体(１)と表示側本体(２)とを閉じた状態で操作側本体(１)の背面側に露出する領域に、カメラユニット(３)の合焦範囲を切り換えるための操作片(61)が配備されていることを特徴とする折り畳み式携帯電話機。
【請求項２】
前記操作片(61)は、前記ヒンジ軸方向のスライド操作が可能なように配備されている請求項１に記載の折り畳み式携帯電話機。
【請求項３】
カメラユニット(３)は、その光軸を中心とする調節リング(30)の回転によって合焦範囲を切り換えることが可能であって、該調節リング(30)と前記操作片(61)との間には、操作片(61)の往復移動を調節リング(30)の回転に変換する合焦範囲切換機構が介在している請求項１又は請求項２に記載の折り畳み式携帯電話機。
【請求項４】
前記合焦範囲切換機構は、調節リング(30)の回転面とは直交する面上で回転が可能な回転部材(５)と、該回転部材(５)の回転面と平行な直線上を往復移動することが可能な往復部材(６)とを具え、該往復部材(６)は、その端部に前記操作片(61)を具えると共に、該操作片(61)からカメラユニット(３)側へ伸びるアーム(63)を具え、該アーム(63)のカメラユニット(３)側の端部が前記回転部材(５)の側部に連結されて、往復部材(６)の移動が回転部材(５)の回転に変換され、該回転部材(５)の外周部が調節リング(30)の外周部に連結されて、回転部材(５)の回転が調節リング(30)の回転に変換される請求項３に記載の折り畳
み式携帯電話機。
【請求項５】
往復部材(６)のアーム(63)には、カメラユニット(３)へ向けて一対の突片(62)(62)が突設されると共に、回転部材(５)の側面にピン(52)が突設され、該ピン(52)が前記一対の突片(62)(62)の間に係合して、往復部材(６)と回転部材(５)とが連結されている請求項４に記載の折り畳み式携帯電話機。
【請求項６】
回転部材(５)の外周面には一対の突片(51)(51)が突設されると共に、調節リング(30)の外周面にはピン(31)が突設され、該ピン(31)が前記一対の突片(51)(51)の間に係合して、回転部材(５)と調節リング(30)とが連結されている請求項４又は請求項５に記載の折り畳み式携帯電話機。
【発明の詳細な説明】
【技術分野】
【０００１】
本発明は、操作側本体と表示側本体を互いに開閉可能に連結した折り畳み式携帯電話機に関するものである。
【背景技術】
【０００２】
折り畳み式携帯電話機は、図１１及び図１２に示す如く、操作側本体(９)の上端部に設けた左右一対のヒンジ部(92)(92)と、表示側本体(91)の下端部に設けたヒンジ部(93)とが、同一のヒンジ軸上に配備されて、ヒンジユニット(90)により互いに相対回転可能に連結され、操作側本体(９)の表面と表示側本体(91)の表面とを互いに対向させて折り畳むことが可能である。
【０００３】
表示側本体(91)には、カメラユニット(図示省略)が内蔵されており、図１２の如く、表示側本体(91)の背面に設けた撮影窓(94)から、カメラユニットによる撮影が可能となっている。
又、図１１の如く、表示側本体(91)のヒンジ部(93)には、カメラユニットの合焦範囲を切り換える際に操作すべき操作片(95)が設けられている。
【０００４】
カメラユニットの合焦範囲を切り換える切換機構としては、カメラレンズの光軸を中心として回転可能な調節リングを具え、該調節リングを回転操作することによって、カメラレンズをその光軸方向に往復移動させるものが知られている(特許文献１、２参照)。
【特許文献１】特開２００４−１６３８３０号公報［G02B7/105］
【特許文献２】特開２００５−２１８１１９号公報［H04N5/225］
【発明の開示】
【発明が解決しようとする課題】
【０００５】
図１１及び図１２に示す折り畳み式携帯電話機においては、操作側本体(９)のヒンジ部(92)(92)が、操作側本体(９)の表面に対して直交する方向に突設されると共に、表示側本体(91)のヒンジ部(93)が、表示側本体(91)の表面と平行な向きに突設されているので、開き状態では、表示側本体(91)の表面全体が操作側本体(９)の表面よりも手前に位置することになる。
この様な折り畳み式携帯電話機においては、図１１の如く、操作側本体(９)の表面からヒンジ部(92)(92)(93)が突出しているため、該ヒンジ部(92)(92)(93)に対して過度に接近させて操作キーを配置すると、例えば操作する指の先端や爪がヒンジ部に当接して、キー操作が困難となるため、操作キーはヒンジ部(92)(92)(93)から一定の距離だけ離して配置する必要がある。
【０００６】
然も、操作側本体(９)のヒンジ部(93)に配備されている合焦範囲切換用の操作片(95)は、操作側本体(９)の表面に配置されている操作キーよりも高い位置に存在するため、合焦範囲を切り換える際には、操作側本体(９)の操作キーを操作した指を一旦持ち上げて、操作片(95)まで移動させねばならないため、操作性が悪い問題があった。
【０００７】
そこで本発明の目的は、操作側本体の表面に配置されている操作キーと略同じ平面上に合焦範囲切換用の操作片を配置することが出来る折り畳み式携帯電話機を提供することである。
【課題を解決するための手段】
【０００８】
本発明に係る折り畳み式携帯電話機は、操作側本体(１)の上端部に設けたヒンジ部(12)と表示側本体(２)の下端部に設けたヒンジ部(22)とが同一のヒンジ軸上に配備され、操作側本体(１)の表面と表示側本体(２)の表面とを互いに対向させて折り畳むことが可能となっている。
ここで、操作側本体(１)のヒンジ部(12)は、操作側本体(１)の表面を延長する向きに突設される一方、表示側本体(２)のヒンジ部(22)は、表示側本体(２)の表面から隆起する向きに突設されている。
又、表示側本体(２)にはカメラユニット(３)が内蔵され、表示側本体(２)のヒンジ部(22)には、操作側本体(１)と表示側本体(２)を開いた状態で操作側本体(１)の表面側に露出し、且つ操作側本体(１)と表示側本体(２)とを閉じた状態で操作側本体(１)の背面側に露出する領域に、カメラユニット(３)の合焦範囲を切り換えるための操作片(61)が配備されている。
【０００９】
上記本発明の折り畳み式携帯電話機においては、表示側本体(２)のヒンジ部(22)が、操作側本体(１)の表面を延長する向きに突設されたヒンジ部(12)と同一軸上に配置されることになるので、表示側本体(２)のヒンジ部(22)に配備されている操作片(61)は、操作側本体(１)の表面に配置されている操作キーと略同一の平面上に位置し、高さが揃うことになる。
【００１０】
具体的構成において、カメラユニット(３)は、その光軸を中心とする調節リング(30)の回転によって合焦範囲を切り換えることが可能であって、該調節リング(30)と前記操作片(61)との間には、操作片(61)の往復移動を調節リング(30)の回転に変換する合焦範囲切換機構が介在している。
【００１１】
該具体的構成によれば、操作片(61)を操作することによって、該操作片(61)の直線移動が調節リング(30)の回転に変換されて、該調節リング(30)の回転によってカメラユニット(３)の合焦範囲が切り換えられることになる。
【００１２】
又、具体的構成において、前記合焦範囲切換機構は、調節リング(30)の回転面とは直交する面上で回転が可能な回転部材(５)と、該回転部材(５)の回転面と平行な直線上を往復移動することが可能な往復部材(６)とを具え、該往復部材(６)は、その端部に前記操作片(61)を具えると共に、該操作片(61)からカメラユニット(３)側へ伸びるアーム(63)を具え、該アーム(63)のカメラユニット(３)側の端部が前記回転部材(５)の側部に連結されて、往復部材(６)の移動が回転部材(５)の回転に変換され、該回転部材(５)の外周部が調節リング(30)の外周部に連結されて、回転部材(５)の回転が調節リング(30)の回転に変換される。
【００１３】
該具体的構成によれば、操作片(61)を操作することによって、該操作片(61)と一体に往復部材(６)が直線移動を行ない、該往復部材(６)の移動が回転部材(５)の回転に変換され、更に該回転部材(５)の回転が調節リング(30)の回転に変換されて、該調節リング(30)の回転によってカメラユニット(３)の合焦範囲が切り換えられることになる。
ここで、合焦範囲切換機構は、回転部材(５)を主体とする回転機構部と往復部材(６)を主体とする往復機構部とから構成されているので、合焦範囲切換機構を回転機構部のみから構成した場合に比べて、構成部材間の遊びを小さく設定することが出来る。又、操作片(61)とカメラユニット(３)の間の距離が大きくなった場合においても、往復部材(６)のアーム(63)の長さによって距離の拡大に対応することが出来る。
【００１４】
更に具体的な構成において、往復部材(６)のアーム(63)には、カメラユニット(３)へ向けて一対の突片(62)(62)が突設されると共に、回転部材(５)の側面にピン(52)が突設され、該ピン(52)が前記一対の突片(62)(62)の間に係合して、往復部材(６)と回転部材(５)とが互いに連結されている。
又、回転部材(５)の外周面には一対の突片(51)(51)が突設されると共に、調節リング(30)の外周面にはピン(31)が突設され、該ピン(31)が前記一対の突片(51)(51)の間に係合して、回転部材(５)と調節リング(30)とが互いに連結されている。
【００１５】
該具体的構成によれば、往復部材(６)と回転部材(５)の間の動力伝達や、回転部材(５)と調節リング(30)の間の動力伝達が、ピンと一対の突片による係合構造によってスムーズに行なわれる。
【発明の効果】
【００１６】
本発明に係る折り畳み式携帯電話機によれば、操作側本体の表面に配置されている操作キーと略同じ平面上に合焦範囲切換用の操作片を配置することが出来るので、操作片の操作性が良好である。
【発明を実施するための最良の形態】
【００１７】
以下、本発明の実施の形態につき、図面に沿って具体的に説明する。
本発明に係る折り畳み式携帯電話機は、図１に示す如く、表面に複数の操作キー(11)を具えた操作側本体(１)と、表面にメインディスプレイ(21)を具えた表示側本体(２)とから構成され、表面どうしを互いに対向させて操作側本体(１)と表示側本体(２)を折り畳むことが可能となっている。
【００１８】
操作側本体(１)の上端部には、左右一対のヒンジ部(12)(12)が、操作側本体(１)の表面を延長する向きに突設されると共に、表示側本体(２)の下端部には、ヒンジ部(22)が、表示側本体(２)の表面から隆起する向きに突設され、操作側本体(１)のヒンジ部(12)(12)と表示側本体(２)のヒンジ部(22)とは、同一のヒンジ軸上にて互いに相対回転可能に連結されている。
【００１９】
図２に示す如く、表示側本体(２)の背面には、その中央部にサブディスプレイ(24)が配備されると共に、前述のヒンジ部側の端部に、カメラ撮影のための撮影窓(26)と、カメラ撮影時に光を発すべき発光窓(25)とが配備されている。
又、図１に示す如く、表示側本体(２)のヒンジ部(22)には、操作側本体(１)と表示側本体(２)を開いた状態で操作側本体(１)の表面側に露出することとなる位置に、カメラ撮影時の合焦範囲を切り換えるための操作片(61)が、ヒンジ軸方向(左右方向)のスライド操作が可能に配備されている。
尚、操作片(61)は、図３に示す如く操作側本体(１)と表示側本体(２)を閉じた状態では、操作側本体(１)の背面側に露出することとなる。
【００２０】
上記折り畳み式携帯電話機においては、図１の如く操作側本体(１)と表示側本体(２)を開いた状態で、表示側本体(２)の表面の内、ヒンジ部(22)側の表面領域が、操作側本体(１)の背面側に移動して、操作側本体(１)の表面は、その全領域が前方に露出し、その周囲に他の部材は存在しないので、他の部材に邪魔されることなく、全ての操作キー(11)を自由に操作することが可能となる。
【００２１】
又、操作片(61)は、表示側本体(２)の表面に垂直に突設されたヒンジ部(22)に配備されて、操作側本体(１)の操作キー(11)が配置されている平面と略同一平面上に位置し、操作キー(11)と高さが揃っているので、操作キー(11)を操作した指を操作側本体(１)の表面に沿ってスライドさせることにより、操作片(61)の位置まで移動させることが可能である。従って、操作片(61)の操作性は良好である。
【００２２】
表示側本体(２)の内部には、ヒンジ部(22)側の端部に、図４に示すカメラアセンブリ(８)が内蔵されている。該カメラアセンブリ(８)は、カメラユニット(３)と、該カメラユニット(３)を収容するホルダー(４)と、該ホルダー(４)に係合する案内部材(７)と、該案内部材(７)によって往復移動が案内される往復部材(６)とを具え、往復部材(６)の端部に操作片(61)が突設されている。
【００２３】
カメラユニット(３)は、図５に示す如く、その光軸を中心として回転可能な調節リング(30)を具え、該調節リング(30)の外周面にはピン(31)が突設され、該ピン(31)を駆動して、調節リング(30)を回転させることにより、カメラユニット(３)の合焦範囲をマクロと通常の間で２段階に切り換えることが可能である。
【００２４】
ホルダー(４)の側壁には、円板状の回転部材(５)がカメラユニット(３)の光軸とは直交する枢軸にて枢支されており、該回転部材(５)の外周面には、一対の突片(51)(51)が互いに平行に突設され、該一対の突片(51)(51)の間に、調節リング(30)のピン(31)が遊嵌されている。
又、回転部材(５)の側面には、図７に示す如く回転部材(５)の回転軸と平行に、ピン(52)が突設されている。
【００２５】
往復部材(６)は、図９及び図１０に示す様に、平板状のアーム(63)と、該アーム(63)の下端部に直交する向きに形成された平板部(64)と、該平板部(64)の上端部に互いに平行に突設された一対の突片(62)(62)とを具え、平板部(64)の中央部に操作片(61)が下向きに突設されている。
そして、往復部材(６)の突片(62)(62)の間には、図７に示す如く回転部材(５)のピン(52)が遊嵌されている。
【００２６】
案内部材(７)は、図９及び図１０に示す様に、ベース部(73)に対して一対のアーム部(71)(71)が往復部材(６)のスライド方向に突設され、両アーム部(71)(71)の下端部には、一対の挟持部(72)(72)が形成されており、該一対の挟持部(72)(72)の間に、往復部材(６)のアーム(63)が摺動可能に係合し、往復部材(６)の２位置間の往復移動が案内される。
又、案内部材(７)の一方の挟持部(72)には、他方の挟持部(72)との対向面に、凸部(74)が形成されており、図６及び図８の如く案内部材(７)に往復部材(６)が係合した状態で、往復部材(６)のアーム(63)が該凸部(74)を乗り越えることによって、往復部材(６)の２位置間の往復移動にクリック感を与えるようになっている。
【００２７】
操作片(61)は、図１の如く表示側本体(２)のヒンジ部(22)から露出し、カメラユニット(３)は、図２に示す表示側本体(２)の撮影窓(26)に対向している。
ここで、操作片(61)と撮影窓(26)の位置関係は、図１１及び図１２に示す従来の折り畳み式携帯電話機における操作片(95)と撮影窓(94)の位置関係とは異なるものとなり、操作片(61)と撮影窓(26)の間隔が僅かに大きくなることになる。
そこで、本発明の折り畳み式携帯電話機においては、往復部材(６)のアーム(63)に沿う方向の長さを、操作片(61)と撮影窓(26)の間隔に応じた大きさに設定して、該間隔の拡大に対応している。
【００２８】
図７中に矢印で示す様に、操作片(61)を操作すると、往復部材(６)がスライドして、該往復部材(６)の突片(62)(62)によってピン(52)が駆動される。これによって図５中に矢印で示す様に回転部材(５)が回転し、該回転部材(５)の突片(51)(51)によってピン(31)が駆動される。この結果、調節リング(30)が回転して、カメラユニット(３)の合焦範囲が２段階に切り換えられるのである。
【００２９】
上述の如く本発明に係る折り畳み式携帯電話機においては、操作片(61)が操作キー(11)と略同一平面上に配置されているので、操作片(61)の操作性が良好である。
然も、操作片(61)の往復移動を調節リング(30)の回転に変換する合焦範囲切換機構が、回転部材(５)を主体とする回転機構部と往復部材(６)を主体とする往復機構部とから構成されているので、操作片(61)とカメラユニット(３)の間隔が大きい場合においても、合焦範囲切換機構を回転機構部のみから構成した場合に比べて、構成部材間の遊びを小さく設定することが出来、これによって確実な合焦範囲切換操作が可能となる。
【図面の簡単な説明】
【００３０】
【図１】本発明に係る折り畳み式携帯電話機の開き状態の斜視図である。
【図２】該折り畳み式携帯電話機の閉じ状態の斜視図である。
【図３】該折り畳み式携帯電話機の閉じ状態を背面側から見た斜視図である。
【図４】カメラアセンブリの斜視図である。
【図５】案内部材を省略したカメラアセンブリの斜視図である。
【図６】往復部材と案内部材の係合状態を示す斜視図である。
【図７】案内部材を省略したカメラアセンブリを図５とは異なる方向から見た斜視図である。
【図８】往復部材と案内部材の係合状態を図６とは異なる方向から見た斜視図である。
【図９】往復部材と案内部材の分解斜視図である。
【図１０】往復部材と案内部材を図９とは異なる方向から見た分解斜視図である。
【図１１】従来の折り畳み式携帯電話機の開き状態を示す斜視図である。
【図１２】従来の折り畳み式携帯電話機の開き状態を背面側から見た斜視図である。
【符号の説明】
【００３１】
(１)  操作側本体
(11)  操作キー
(12)  ヒンジ部
(２)  表示側本体
(21)  メインディスプレイ
(22)  ヒンジ部
(26)  撮影窓
(３)  カメラユニット
(30)  調節リング
(31)  ピン
(４)  ホルダー
(５)  回転部材
(51)  突片
(52)  ピン
(６)  往復部材
(61)  操作片
(７)  案内部材
【図１】
0004825175.tif 000002
【図２】
0004825175.tif 000003
【図３】
0004825175.tif 000004
【図４】
0004825175.tif 000005
【図５】
0004825175.tif 000006
【図６】
0004825175.tif 000007
【図７】
0004825175.tif 000008
【図８】
0004825175.tif 000009
【図９】
0004825175.tif 000010
【図１０】
0004825175.tif 000011
【図１１】
0004825175.tif 000012
【図１２】
0004825175.tif 000013